(57)【特許請求の範囲】
【請求項１】
少なくとも、ハウジング本体と可動アームからなるハウジングを有し、
前記可動アームは、前記ハウジング本体の側面に、ハウジング本体の先端側からハウジング本体の後端側に向かって延長されるように形成され、
前記可動アームの外面には、受け側光コネクタのソケットハウジングに形成された開口部に係合する係止部が形成され、
前記可動アームの後端側を可動させることによって前記係止部を可動させて、前記係止部と前記開口部との係合を解除する光コネクタにおいて、
前記可動アームの厚さは、その後端側を可動させた際に、前記ハウジング本体の先端側である前記可動アームの基端側から可動せずに、前記可動アームの途中からたわんでしまうくらいの厚さであり、
前記可動アーム上に、可動アームの長手方向に延長された梁を備え、
前記梁は、前記可動アームが途中からたわんでしまわないように、前記可動アームの基端と前記係止部の間から始まって前記可動アームの後端側に至る範囲において、前記可動アームの内面に形成されており、
前記ハウジング本体の前記可動アームの内面と対向する側面であって、前記可動アームを可動させた際に前記梁と重なる部分に、前記梁を前記ハウジング本体の前記可動アームの内面と対向する側面の内部に収容させる凹部が形成されていることを特徴とする光コネクタ。
【発明の詳細な説明】
【技術分野】
【０００１】
本発明は、光ファイバの接続に用いられる光コネクタに関するものである。
【背景技術】
【０００２】
近年、光通信のサービス普及に伴い、光ファイバを接続する際に用いられる収納ＢＯＸ自体の小型化及び収納ＢＯＸ内における光ファイバ接続の高密度化が求められている。従来、このような光ファイバの接続に用いられる光コネクタとしては、ＪＩＳ  Ｃ  ５９７３等に規定されているＳＣ型光コネクタがある。
【０００３】
しかし、このＳＣ型光コネクタには、コネクタプラグとプラグ同士を結合するためのアダプタが必要であり、収納ＢＯＸ内の高密度化が図れないという問題があった。
【０００４】
そこで、発明者らは図７に示したような光コネクタを試作した。
【０００５】
試作した光コネクタ７０１は、少なくとも、ハウジング本体７０６と可動アーム７０５からなるハウジング７０３と、フェルール７０２とを有するものである。ハウジング本体７０６の側面には、可動アームが形成されている。この可動アーム７０５は、ハウジング本体７０６の側面に、ハウジング本体の先端側からハウジング本体の後端側に向かって延長されるように形成されている。また、可動アーム７０５の外面には、光コネクタ７０１が結合する受け側光コネクタのソケットハウジング７１１に形成された開口部７１２に係合する係止部７０７が形成されている。また、可動アーム７０５の後端側（レバー部７０８）を可動させることによって係止部７０７を可動させて、係止部７０７と開口部７１２との係合を解除するものである。
【０００６】
なお、図７に示すような、可動アームを有する光コネクタとしては、特許文献１に記載の光コネクタなどもある。
【特許文献１】特開２００３−０９８３８１号公報
【発明の開示】
【発明が解決しようとする課題】
【０００７】
しかしながら、図７に記載された光コネクタ７０１においては、小型化を図ったために、可動アーム７０５の厚さを十分に取ることができず、厚さの薄い可動アームとなっていた。
【０００８】
そのため、係止部７０７と、ソケットハウジング７１１に形成された開口部７１２との係合を解除するために、可動アーム７０５の後端側（レバー部７０８）を可動させた際に、可動アーム７０５が、可動アーム７０５の先端側（光コネクタ７０１が受け側光コネクタと結合する際に、最初に受け側コネクタと重なり合う側）から可動せずに、可動アーム７０５の途中からたわんでしまい、係止部７０７がソケットハウジング７１１の開口部７１２から外れにくく、係止部７０７と開口部７１２との係合の解除が行いにくいといった問題があった。
【０００９】
そこで、本発明はこのような問題を解決するために案出されたものであり、可動アームが、可動アームの先端側から可動せずに、可動アームの途中からたわんでしまい、係止部がソケットハウジングの開口部から外れにくく、係止部と開口部との係合の解除が行いにくいといった問題が生じることがなく、可動アームを備えた光コネクタにおいて、係止部と開口部との係合及び係合の解除を容易に行うことができるという優れた効果を奏する光コネクタを提供することにある。
【課題を解決するための手段】
【００１０】
前記課題を解決するため、本発明は、少なくとも、ハウジング本体と可動アームからなるハウジングを有し、前記可動アームは、前記ハウジング本体の側面に、ハウジング本体の先端側からハウジング本体の後端側に向かって延長されるように形成され、前記可動アームの外面には、受け側光コネクタのソケットハウジングに形成された開口部に係合する係止部が形成され、前記可動アームの後端側を可動させることによって前記係止部を可動させて、前記係止部と前記開口部との係合を解除する光コネクタにおいて、前記可動アームの厚さは、その後端側を可動させた際に、前記ハウジング本体の先端側である前記可動アームの基端側から可動せずに、前記可動アームの途中からたわんでしまうくらいの厚さであり、前記可動アーム上に、可動アームの長手方向に延長された梁を備え、前記梁は、前記可動アームが途中からたわんでしまわないように、前記可動アームの基端と前記係止部の間から始まって前記可動アームの後端側に至る範囲において、前記可動アームの内面に形成されており、前記ハウジング本体の前記可動アームの内面と対向する側面であって、前記可動アームを可動させた際に前記梁と重なる部分に、前記梁を前記ハウジング本体の前記可動アームの内面と対向する側面の内部に収容させる凹部が形成されているものである。
【００１２】
【００１３】
【発明の効果】
【００１４】
上記本発明によれば、可動アームが、可動アームの先端側から可動せずに、可動アームの途中からたわんでしまい、係止部がソケットハウジングの開口部から外れにくく、係止部と開口部との係合の解除が行いにくいといった問題が生じることがなく、可動アームを備えた光コネクタにおいて、係止部と開口部との係合及び係合の解除を容易に行うことができるという優れた効果を奏することが可能である。
【発明を実施するための最良の形態】
【００１５】
以下、発明を実施するための最良の形態を、図面を参照しながら詳述する。
【実施例】
【００１６】
図１乃至３に示すように、光コネクタ１０１は、少なくとも、ハウジング本体１０４と可動アーム１０９からなるハウジング１０２と、フェルール１０３とを有する光コネクタプラグである。また、この光コネクタ１０１と結合する受け側光コネクタ２０１は、図４乃至６に示すように、少なくとも、開口部２０２を有するソケットハウジング２０３とフェルール２０４を有する光コネクタソケットである。
【００１７】
光コネクタ１０１のハウジング１０２には、ハウジング本体１０４の側面に、ハウジング本体の先端側１０５からハウジング本体の後端側１０６に向かって延長されるように可動アーム１０９が形成されている。この可動アーム１０９における外面、具体的には、ハウジング本体の先端側１０５からハウジング本体の後端側１０６に向かう途中の可動アーム１０９における外面には、受け側光コネクタ２０１のソケットハウジング２０３に形成された開口部２０２と係合する係止部１０７が形成され、可動アーム１０９の後端側（レバー部１０８）を可動させることによって係止部１０７を可動させて、係止部１０７と、ソケットハウジング２０３に形成された開口部２０２との係合を解除することが可能となっている。
【００１８】
可動アーム１０９には、ソケットハウジング２０３の開口部２０２と係合する係止部１０７が形成されている面と反対側の面（可動アーム１０９のハウジング本体１０４側の面、可動アームの内面１１０）に、可動アーム１０９の後端側（レバー部１０８）から、可動アーム１０９の先端側（光コネクタ１０１が受け側光コネクタ２０１と結合する際に、最初に受け側コネクタ２０１と重なり合う側）に向かって、凸上の梁１１１が形成されている。なお、梁１１１の長さは、可動アーム１０９の後端側（レバー部１０８）から係止部１０７よりも可動アーム１０９の先端側１０５に至る長さで形成されている。
【００１９】
これにより、可動アーム１０９は、係合の解除の際、係止部１０７よりも可動アーム１０９の先端側１０５でたわむため、可動アーム１０９の厚さが薄くなっても係止部１０７は開口部２０２から容易に外れるため、可動アーム１０９の厚さが薄くなるような小型の光コネクタであっても、係止部１０７と開口部２０２との係合及び係合の解除を容易に行うことができるという、優れた光コネクタを構成することが可能となる。
【００２０】
また、ハウジング本体１０４の、可動アーム１０９上の梁１１１と重なる部分（ハウジングの一部の面１１２）の外周面の一部が凹状に形成されているため、可動アーム１０９を可動させた際に、梁１１１を凹部１１３に逃がすことによりハウジング本体１０４の外周面の内部に収容することができるため、さらに小型の光コネクタであっても、係止部１０７は開口部２０２から容易に外れるため、係止部１０７と開口部２０２との係合及び係合の解除を容易に行うことができるという、優れた光コネクタを構成することが可能となる。
【図面の簡単な説明】
【００２１】
【図１】本発明の一実施例を示す光コネクタの部分断面図を示したものである。
【図２】本発明の一実施例を示す光コネクタの正面図を示したものである。
【図３】本発明の一実施例を示す光コネクタの端面図を示したものである。
【図４】受け側光コネクタの断面図を示したものである。
【図５】受け側光コネクタの正面図を示したものである。
【図６】受け側光コネクタの端面図を示したものである。
【図７】従来技術における光コネクタ及び受け側光コネクタの断面図を示したもので    ある。
【符号の説明】
【００２２】
１０１  光コネクタ
１０２  ハウジング
１０３  フェルール
１０４  ハウジング本体
１０５  ハウジング本体の先端側
１０６  ハウジング本体の後端側
１０７  係止部
１０８  レバー部
１０９  可動アーム
１１０  可動アームの内面
１１１  梁
１１２  ハウジングの一部の面
１１３  凹部
２０１  受け側光コネクタ
２０２  開口部
２０３  ソケットハウジング
７０１  光コネクタ
７０２  フェルール
７０３  ハウジング
７０５  可動アーム
７０６  ハウジング本体
７０７  係止部
７０８  レバー部
７１１  ソケットハウジング
７１２  開口部
【図１】
0004658774.tif 000002
【図２】
0004658774.tif 000003
【図３】
0004658774.tif 000004
【図４】
0004658774.tif 000005
【図５】
0004658774.tif 000006
【図６】
0004658774.tif 000007
【図７】
0004658774.tif 000008